(57)【要約】【課題】イオンの送出量を増加させることのできるイオン送出装置を提供する。【解決手段】筐体２内に形成される送風通路１０と、送風通路１０内に配される送風機３と、イオンを発生するイオン発生面４ａを送風通路１０の一壁面１０ａに沿って送風機３の下流に配したイオン発生装置４とを備え、送風通路１０を流通する気流にイオン発生装置４で発生したイオンを含んで送出するイオン送出装置１において、送風通路１０が送風機３とイオン発生面４ａとの間で壁面１０ａを傾斜面１１ａに形成して流路をイオン発生面４ａに直交する方向に絞る絞り部１１を有し、壁面１０ａから突出して送風通路１０の気流に交差する方向に延びるリブ８をイオン発生装置４の上流側近傍に設けた。【選択図】図１
2012048867.tif 000002
【特許請求の範囲】
【請求項１】
筐体内に形成される送風通路と、前記送風通路内に配される送風機と、イオンを発生するイオン発生面を前記送風通路の一壁面に沿って前記送風機の下流に配したイオン発生装置とを備え、前記送風通路を流通する気流に前記イオン発生装置で発生したイオンを含んで送出するイオン送出装置において、前記送風通路が前記送風機と前記イオン発生面との間で前記壁面を傾斜面に形成して流路を前記イオン発生面に直交する方向に絞る絞り部を有し、前記壁面から突出して前記送風通路の気流に交差する方向に延びるリブを前記イオン発生装置の上流側近傍に設けたことを特徴とするイオン送出装置。
【請求項２】
前記送風通路の前記壁面に隣接する側壁と前記リブとの間に隙間を設けたことを特徴とする請求項１に記載のイオン送出装置。
【請求項３】
放電によりイオンを発生する複数の放電部を前記イオン発生面上の気流に直交する方向に並設し、前記リブの長さを両端の前記放電部の距離以下にしたことを特徴とする請求項２に記載のイオン送出装置。
【請求項４】
前記リブの前記イオン発生面に対する突出量を、前記イオン発生面上の前記イオン発生面に直交する方向の前記送風通路の幅に対して１／２以下にしたことを特徴とする請求項３に記載のイオン送出装置。
【請求項５】
前記イオン発生装置の下流側の前記壁面に沿って配されるとともにイオンの量を検知するイオンセンサを備え、前記イオンセンサの検知結果に基づいて前記イオン発生装置の駆動が制御されることを特徴とする請求項１〜請求項４のいずれかに記載のイオン送出装置。
【請求項６】
前記絞り部が前記イオン発生面に平行な方向に徐々に拡幅され、前記絞り部の断面積を下流になる程大きくしたことを特徴とする請求項１〜請求項５のいずれかに記載のイオン送出装置。
【請求項７】
前記送風通路は前記イオン発生装置の下流側で前記イオン発生面に平行な方向に徐々に拡幅され、前記送風通路の断面積を下流になる程大きくしたことを特徴とする請求項１〜請求項５のいずれかに記載のイオン送出装置。
【発明の詳細な説明】
【技術分野】
【０００１】
本発明は、イオンを含む気流を送出するイオン送出装置に関する。
【背景技術】
【０００２】
従来のイオン送出装置は特許文献１に開示されている。図８はこのイオン送出装置の側面断面図を示している。イオン送出装置１は筐体２内に形成される送風通路１０の一端に送風機３が配され、送風通路１０の他端は筐体２に開口する吹出口１０ａが設けられる。送風機３はファンモータ３ａをハウジング３ｂにより覆うシロッコファンにより形成される。送風機３はハウジング３ｂの下方に面した吸気口３ｃから外気を吸気し、周面に設けた排気口３ｄから送出する。これにより、吹出口１０ａから吹き出される気流が送風通路１０内に形成される。
【０００３】
送風通路１０の送風機３と吹出口１０ａとの間にはイオン発生装置４が設けられる。イオン発生装置４は放電によってイオンを発生する複数の放電部を並設したイオン発生面４ａを有し、イオン発生面４ａが送風通路１０の底壁１０ｂに沿って配される。放電部は電圧の印加によって放電し、プラスイオン及びマイナスイオンを発生する。
【０００４】
イオン発生装置４と送風機３との間の送風通路１０には絞り部１１が設けられる。絞り部１１の底壁は下流が上方に傾斜する傾斜面１１ａにより形成され、イオン発生面４ａに直交する方向に送風通路１０の流路が絞られる。これにより、気流の流速を速くしてイオン発生装置４で発生したイオンを順に送り出すことができ、イオンの送出量を増加させることができる。また、絞り部１１によって送風機３から送出される気流を整流するとともに気流の偏り（偏流）が抑制される。
【０００５】
イオン発生装置４と吹出口１０ａとの間の送風通路１０には拡幅部１２（拡大管部）が設けられる。拡幅部１２は両側壁の間隔が下流になる程広げられ、イオン発生面４ａに平行な方向（吹出口１０ａから見て左右方向）に徐々に流路を拡幅する。拡幅部１２によって送風通路１０の断面積を徐々に拡大したディフューザが形成される。これにより、気流の運動エネルギーを静圧に変換し、送風量を増加させることができる。
【０００６】
上記構成のイオン送出装置１において、送風機３及びイオン発生装置４が駆動されると、送風通路１０内に気流が発生するとともに放電部の放電によってイオンが発生する。送風機３から流出した気流は絞り部１１で傾斜面１１ａから成る底壁に沿って流通して絞られ、流速が増加される。
【０００７】
絞り部１１を通過してイオン発生面４ａ上を流通する気流には放電部で発生したイオンが含まれる。イオンを含む気流は拡幅部１２を流通して左右方向に徐々に広げられ、吹出口１０ａから室内等に送出される。これにより、左右の広い範囲にイオンを送出して室内等に拡散させることができる。
【先行技術文献】
【特許文献】
【０００８】
【特許文献１】特開２００５−９５４０２号公報（第７頁−第２０頁、第２図）
【発明の概要】
【発明が解決しようとする課題】
【０００９】
しかしながら、上記従来のイオン送出装置によると、絞り部１１を流通する気流は傾斜面１１ａに沿って上昇する。イオン発生面４ａは送風通路１０の底壁１０ａに沿って配されるため、絞り部１１を通過した気流はイオン発生面４ａから離れて送風通路１０の上部を流通する。このため、イオン発生装置４で発生したイオンを気流に十分含ませることができず、イオンの送出量が少なくなる問題があった。
【００１０】
本発明は、イオンの送出量を増加させることのできるイオン送出装置を提供することを目的とする。
【課題を解決するための手段】
【００１１】
上記目的を達成するために本発明は、筐体内に形成される送風通路と、前記送風通路内に配される送風機と、イオンを発生するイオン発生面を前記送風通路の一壁面に沿って前記送風機の下流に配したイオン発生装置とを備え、前記送風通路を流通する気流に前記イオン発生装置で発生したイオンを含んで送出するイオン送出装置において、前記送風通路が前記送風機と前記イオン発生面との間で前記壁面を傾斜面に形成して流路を前記イオン発生面に直交する方向に絞る絞り部を有し、前記壁面から突出して前記送風通路の気流に交差する方向に延びるリブを前記イオン発生装置の上流側近傍に設けたことを特徴としている。
【００１２】
この構成によると、送風機から送出される気流は一壁面が傾斜面から成る絞り部を流通して流速が増加される。絞り部の傾斜面に沿って流通する気流はリブを乗り越える際に渦を生成する。リブで発生した渦によって気流の一部がイオン発生装置のイオン発生面の方向に引き込まれ、イオン発生面から発生したイオンが含まれる。イオンが含まれた気流は送風通路を流通して室内等に送出される。
【００１３】
また本発明は、上記構成のイオン送出装置において、前記送風通路の前記壁面に隣接する側壁と前記リブとの間に隙間を設けたことを特徴としている。この構成によると、絞り部を通過した気流の一部はリブの側方の隙間を通過し、リブの側端から内側に巻き込まれる渦が形成される。
【００１４】
また本発明は、上記構成のイオン送出装置において、放電によりイオンを発生する複数の放電部を前記イオン発生面上の気流に直交する方向に並設し、前記リブの長さを両端の前記放電部の距離以下にしたことを特徴としている。
【００１５】
また本発明は、上記構成のイオン送出装置において、前記リブの前記イオン発生面に対する突出量を、前記イオン発生面上の前記イオン発生面に直交する方向の前記送風通路の幅に対して１／２以下にしたことを特徴としている。
【００１６】
また本発明は、上記構成のイオン送出装置において、前記イオン発生装置の下流側の前記壁面に沿って配されるとともにイオンの量を検知するイオンセンサを備え、前記イオンセンサの検知結果に基づいて前記イオン発生装置の駆動が制御されることを特徴としている。
【００１７】
この構成によると、イオン発生面を通過した気流はイオンセンサ上を流通し、気流に含まれるイオンの量が検知される。イオンセンサの検知結果に応じてイオン発生装置のオンオフ等が行われる。
【００１８】
また本発明は、上記構成のイオン送出装置において、前記絞り部が前記イオン発生面に平行な方向に徐々に拡幅され、前記絞り部の断面積を下流になる程大きくしたことを特徴としている。
【００１９】
この構成によると、絞り部でイオン発生面に直交する方向の流路が狭められるとともに、イオン発生面に平行な方向の流路が拡幅される。また、絞り部は流路の断面積が徐々に広げられ、ディフューザを形成する。これにより、気流の運動エネルギーを静圧に変換して送風量を増加し、イオン発生面に平行な方向に気流を拡散して送出する。この時、イオン発生面に直交する方向の流路を絞って流速の低下が抑制される。
【００２０】
また本発明は、上記構成のイオン送出装置において、前記送風通路は前記イオン発生装置の下流側で前記イオン発生面に平行な方向に徐々に拡幅され、前記送風通路の断面積を下流になる程大きくしたことを特徴としている。
【００２１】
この構成によると、絞り部でイオン発生面に直交する方向の流路が狭められるとともにイオン発生装置の下流でイオン発生面に平行な方向の流路が拡幅される。また、送風通路はイオン発生装置の下流で流路の断面積が徐々に広げられ、ディフューザを形成する。これにより、気流の運動エネルギーを静圧に変換して送風量を増加し、イオン発生面に平行な方向に気流を拡散して送出する。
【発明の効果】
【００２２】
本発明によると、送風通路のイオン発生面を配した一壁面を傾斜面に形成した絞り部を送風機とイオン発生面との間に設けるとともに、該壁面から突出して送風通路の気流に交差する方向に延びるリブをイオン発生装置の上流側近傍に設けたので、傾斜面に沿って流通する気流がリブを乗り越える際に渦が形成される。これにより、渦によって気流の一部がイオン発生面に引き込まれ、イオンを十分気流に含むことができる。従って、イオンの送出量を増加させることができる。
【図面の簡単な説明】
【００２３】
【図１】本発明の第１実施形態のイオン送出装置を示す側面断面図
【図２】本発明の第１実施形態のイオン送出装置の内部を示す斜視図
【図３】本発明の第１実施形態のイオン送出装置の内部を示す上面図
【図４】本発明の第１実施形態のイオン送出装置のイオン発生装置を示す斜視図
【図５】本発明の第１実施形態のイオン送出装置のイオン発生装置のイオン発生素子を示す斜視図
【図６】本発明の第２実施形態のイオン送出装置の内部を示す斜視図
【図７】本発明の第２実施形態のイオン送出装置の内部を示す上面図
【図８】従来のイオン送出装置を示す側面断面図
【発明を実施するための形態】
【００２４】
以下に本発明の実施形態を図面を参照して説明する。説明の便宜上、前述の図８に示す従来例と同様の部分は同一の符号を付している。図１は第１実施形態のイオン送出装置を示す側面断面図である。イオン送出装置１は樹脂成形品から成る筐体２を有し、筐体２には通路形成部２ａ及び送風機支持部２ｂが設けられる。
【００２５】
通路形成部２ａは内部に送風通路１０を形成し、上面カバー２ｃにより上面が覆われる。送風通路１０の前端には筐体２に開口する吹出口１０ａが設けられる。送風機支持部２ｂは通路形成部２ａの後端に取り付けられ、送風機３を支持する。これにより、筐体２内には送風機３の内部を含む送風通路１０が形成される。
【００２６】
送風機３はファンモータ３ａをハウジング３ｂにより覆うシロッコファンにより形成される。ハウジング３ｂの下方に面した吸気口３ｃから外気を吸気し、周面に設けた排気口３ｄから送出する。これにより、吹出口１０ａから吹き出される気流が送風通路１０内に形成される。
【００２７】
送風通路１０の送風機３と吹出口１０ａとの間にはイオン発生装置４が設けられる。図４はイオン発生装置４の斜視図を示している。イオン発生装置４はイオン発生素子４ｄ（図５参照）を覆うハウジング４ｅにより外面が形成される。イオン発生素子４ｄは図５に示すように針状の放電電極を有する複数の放電部４ｂ、４ｃが設けられる。放電部４ｂ、４ｃは送風通路１０の底壁１０ｂ（図１参照）に沿うイオン発生面４ａ上に配され、気流に直交する方向に並設される。
【００２８】
放電部４ｂ、４ｃの放電電極には交流波形またはインパルス波形から成る電圧が印加され、コロナ放電が発生する。例えば、一方の放電部４ｂの放電電極には正電圧が印加され、電離により発生するイオンが空気中の水分と結合して主としてＨ＋（Ｈ２Ｏ）ｍから成る電荷が正のクラスタイオンが形成される。他方の放電部４ｃの放電電極には負電圧が印加され、電離により発生するイオンが空気中の水分と結合して主としてＯ２−（Ｈ２Ｏ）ｎから成る電荷が負のクラスタイオンが形成される。ここで、ｍ、ｎは任意の自然数である。
【００２９】
Ｈ＋（Ｈ２Ｏ）ｍ及びＯ２−（Ｈ２Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ２Ｏ２（過酸化水素）を浮遊菌や臭い成分等の表面上で凝集生成してこれらを破壊する。ここで、ｍ’、ｎ’は任意の自然数である。
【００３０】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ    ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３１】
従って、放電部４ｂ、４ｃからプラスイオン及びマイナスイオンを発生して室内の殺菌や臭い除去を行うことができる。また、放電部４ｂ、４ｃからマイナスイオンのみを発生してリラクゼーション効果を得ることも可能である。
【００３２】
図２、図３はイオン送出装置１の内部を示す斜視図及び上面図であり、通路形成部２ａの上面カバー２ｃを取り外した状態を示している。図１〜図３において、イオン発生装置４と送風機３との間の送風通路１０には絞り部１１が設けられる。絞り部１１の底壁は下流が上方に傾斜する傾斜面１１ａにより形成され、イオン発生面４ａに直交する方向に送風通路１０の流路が絞られる。
【００３３】
これにより、気流の流速を速くしてイオン発生装置４で発生したイオンを順に送り出しすことができ、イオンの送出量を増加させることができる。また、シロッコファンから成る送風機３から送出される気流の偏り（偏流）を抑制することができる。
【００３４】
また、絞り部１１の対向する両側壁の間隔は下流側が広げられ、イオン発生面４ａに平行な方向（吹出口１０ａから見て左右方向）に流路が徐々に拡幅して流路の断面積が下流になる程大きく形成される。これにより、ディフューザが形成され、気流の運動エネルギーを静圧に変換して送風量を増加させることができる。この時、イオン発生面４ａに直交する方向の流路が傾斜面１１ａにより絞られるため、流速の低下が抑制される。
【００３５】
イオン発生装置４の上流側近傍には送風通路１０の底壁１０ｂから突出して気流に交差する方向に延びるリブ８が設けられる。リブ８は送風通路１０の両側壁１０ｃ間の全体に渡って形成され、詳細を後述するように、絞り部１１を通過した気流の一部が乗り越える際に渦Ｂを形成する。
【００３６】
リブ８のイオン発生面４ａに対する突出量Ｈ１は、イオン発生面４ａ上のイオン発生面４ａに直交する方向の流路の幅（高さ）Ｈ２の１／２以下に形成される。これにより、リブ８の遮蔽によって送風通路１０の圧力損失が著しく大きくなることを防止できるとともに、渦Ｂによって確実にイオン発生面４ａに気流を導くことができる。
【００３７】
送風通路１０はイオン発生装置４の下流側に吹出通路１３が設けられる。吹出通路１３には底壁１０ｂに沿ってイオンセンサ６ｂ、６ｃが配される。イオンセンサ６ｂ、６ｃは気流に直交する方向に並設され、吹出通路１３を流通する気流に含まれるイオンの量を検知する。
【００３８】
イオンセンサ６ｂ、６ｃの検知結果に基づいてイオン発生装置４の駆動が制御され、イオン発生装置４のオンオフや放電部４ｂ、４ｃのデューティー比の可変等が行われる。尚、イオンセンサ６ｂによって放電部４ｂにより発生するイオン（例えば、プラスイオン）の量が検知される。イオンセンサ６ｃによって放電部４ｃにより発生するイオン（例えば、マイナスイオン）の量が検知される。
【００３９】
また、吹出通路１３の底壁１０ｂは上流側に面するように傾斜して設けられる。これにより、イオン発生面４ａ上を流通した気流がイオンセンサ６に当接し易くなり、イオンセンサ６によって正確にイオンの量を検知することができる。
【００４０】
上記構成のイオン送出装置１において、送風機３及びイオン発生装置４が駆動されると、送風通路１０内に気流が発生するとともに放電部４ｂ、４ｃの放電によってイオンが発生する。送風機３から流出した気流は絞り部１１で傾斜面１１ａから成る底壁に沿って流通し、イオン発生面４ａに平行方向に広げられるとともにイオン発生面４ａに直交する方向に絞られる。
【００４１】
絞り部１１の傾斜面１１ａに沿って流通する気流はリブ８を乗り越える際に渦Ｂ（図１参照）を生成する。リブ８で発生した渦Ｂによって気流の一部がイオン発生装置４のイオン発生面４ａの方向に引き込まれ、イオン発生面４ａから発生したイオンが含まれる。イオンが含まれた気流は渦Ｂによって送風通路１０の底壁１０ｂに沿って吹出通路１３を流通し、イオンセンサ６によりイオンの量が検知される。そして、イオンを含む気流が吹出口１０ａを介して室内等に送出される。送風通路１０の流路は絞り部１１で左右方向に広げられるため、左右の広い範囲にイオンを送出して室内等に拡散させることができる。
【００４２】
本実施形態によると、送風通路１０のイオン発生面１０ａを配した底壁１０ｂを傾斜面１１ａに形成した絞り部１１を送風機３とイオン発生面４ａとの間に設けるとともに、底壁１０ｂから突出して送風通路１０の気流に交差する方向に延びるリブ８をイオン発生装置４の上流側近傍に設けたので、傾斜面１１ａに沿って流通する気流がリブ８を乗り越える際に渦Ｂが形成される。これにより、渦Ｂによって気流の一部がイオン発生面４ａに引き込まれ、イオンを十分気流に含むことができる。従って、イオンの送出量を増加させることができる。尚、リブ８を傾斜面１１ａの下流端から上流側または下流側に離れて配置してもよい。
【００４３】
また、リブ８のイオン発生面４ａに対する突出量Ｈ１を、イオン発生面４ａ上のイオン発生面４ａに直交する方向の送風通路１０の幅Ｈ２に対して１／２以下にしたので、リブ８の遮蔽によって送風通路１０の圧力損失が著しく大きくなることを防止できるとともに、渦Ｂによって確実にイオン発生面４ａに気流を導くことができる。
【００４４】
また、渦Ｂによってイオンを含む気流が送風通路１０の底壁１０ｂに沿って流通し、イオンセンサ６が底壁１０ｂに沿って配されるので、気流に含まれるイオンの量を正確に検知することができる。
【００４５】
また、絞り部１１がイオン発生面４ａに平行な方向（左右方向）に徐々に拡幅され、絞り部１１の断面積を下流になる程大きくしたので、絞り部１１によってディフューザが形成される。従って、気流の運動エネルギーを静圧に変換し、送風量を増加させることができる。この時、イオン発生面４ａに直交する方向の流路が傾斜面１１ａにより絞られるため、流速の低下が抑制される。
【００４６】
次に、図６、図７は第２実施形態のイオン送出装置１の内部を示す斜視図及び上面図であり、通路形成部２ａの上面カバー２ｃを取り外した状態を示している。説明の便宜上、前述の図１〜図５に示す第１実施形態と同一の部分は同一の符号を付している。本実施形態はリブ８の構造が第１実施形態と異なっている。その他の部分は第１実施形態と同一である。
【００４７】
リブ８は送風通路１０の両側壁１０ｃとの間に隙間８ａを有して形成される。これにより、絞り部１１を通過した気流はリブ８を乗り越えるとともにリブ８の側方の隙間８ａを流通する。リブ８の長さＬ１は気流に直交する方向に並設される両端の放電部４ｂ、４ｃ間の距離Ｌ２以下になっている。また、イオンセンサ６ｂ、６ｃの流路中心からの距離Ｌ３、Ｌ４はリブ８の長さＬ１の１／２よりも短くなっている。
【００４８】
上記構成のイオン送出装置１において、絞り部１１の傾斜面１１ａに沿って流通する気流はリブ８を乗り越える際に渦Ｂ（図１参照）を生成する。また、一部の気流は隙間８ａを流通し、リブ８の内側に巻き込まれて渦Ｃを生成する。渦Ｂによって一部の気流がイオン発生装置４のイオン発生面４ａの方向（下方）に引き込まれる。これにより、リブ８の側方の隙間８ａを流通する気流が下方に引き込まれるとともに、渦Ｃによって内側に引き込まれる。その結果、離れた放電部６ｂ、６ｃから発生するイオンの一部が流路の中心方向に導かれ、均一にイオンを気流に含むことができる。
【００４９】
また、リブ８に対してイオンセンサ６ｂ、６ｃの中心が内側に配されるため、第１実施形態に比してイオンセンサ６ｂ、６ｃ上により確実に気流を流通させることができる。従って、気流に含まれるイオンの量をより正確に検知することができる。
【００５０】
本実施形態によると、第１実施形態と同様に、送風通路１０のイオン発生面１０ａを配した底壁１０ｂを傾斜面１１ａに形成した絞り部１１を送風機３とイオン発生面４ａとの間に設けるとともに、底壁１０ｂから突出して送風通路１０の気流に交差する方向に延びるリブ８をイオン発生装置４の上流側近傍に設けたので、傾斜面１１ａに沿って流通する気流がリブ８を乗り越える際に渦Ｂが形成される。これにより、渦Ｂによって気流の一部がイオン発生面４ａに引き込まれ、イオンを十分気流に含むことができる。従って、イオンの送出量を増加させることができる。
【００５１】
また、送風通路１０の底壁１０ｂに隣接する側壁１０ｃとリブ８との間に隙間８ａを設けたので、隙間８ａを流通する気流がリブ８の内側に巻き込まれて渦Ｃが形成される。これにより、渦Ｂ、Ｃによってイオンをより確実に気流に含むことができる。
【００５２】
また、複数の放電部４ｂ、４ｃを気流に直交する方向に並設し、リブ８の長さＬ１を両放電部４ｂ、４ｃの距離Ｌ２以下にしたので、離れた放電部４ｂ、４ｃから発生するイオンを流路の中央に導くことができる。従って、均一にイオンを気流に含むことができる。これにより、放電部４ｂ、４ｃを離れて配置してそれぞれから発生するプラスイオンとマイナスイオンとの衝突による消滅を低減するとともに、イオン発生装置４の下流でプラスイオンとマイナスイオンとを容易に混合して送出することができる。
【００５３】
第１、第２本実施形態において、絞り部１１でイオン発生面４ａに平行な方向（左右方向）の流路幅を一定にしてもよい。この時、吹出通路１３を下流になる程流路を左右方向に拡幅し、送風通路１０の断面積を徐々に拡大してディフューザを形成するとよい。これにより、吹出通路１３によって気流の運動エネルギーを静圧に変換し、送風量を増加させることができる。また、絞り部１１で気流の流速をより速くすることができ、イオン発生装置４で発生したイオンを順に送り出してイオンの送出量を増加させることができる。
【産業上の利用可能性】
【００５４】
本発明によると、イオンを含む気流を送出するイオン送出装置に利用することができる。
【符号の説明】
【００５５】
１    イオン送出装置
２    筐体
２ａ  通路形成部
２ｂ  送風機支持部
３    送風機
３ａ  ファンモータ
３ｂ  ハウジング
３ｃ  吸気口
３ｄ  排気口
４    イオン発生装置
４ａ  イオン発生面
４ｂ、４ｃ  放電部
４ｄ  イオン発生素子
４ｅ  ハウジング
６ｂ、６ｃ  イオンセンサ
８    リブ
８ａ  隙間
１０    送風通路
１０ａ  吹出口
１０ｂ  底壁
１０ｃ  側壁
１１    絞り部
１１ａ  傾斜面
１３    吹出通路
【図１】
2012048867.tif 000003
【図２】
2012048867.tif 000004
【図３】
2012048867.tif 000005
【図４】
2012048867.tif 000006
【図５】
2012048867.tif 000007
【図６】
2012048867.tif 000008
【図７】
2012048867.tif 000009
【図８】
2012048867.tif 000010